(57)【要約】      （修正有）【課題】入場駅から乗車券で入場し、乗継駅でカードを用いて乗り継ぎ、そのカードで出場駅から出場する場合、入場駅から出場駅までの通算料金に基づく精算を可能にする。【解決手段】乗車券から入場駅データと料金データを含む原券情報を読取り、読取った原券情報を投入されたカードに記録し、原券情報が記録されたカードを返却し、出場を許可する制御手段を有する乗継駅に設けられた２ラッチ又は１ラッチの自動改札機と、投入されたカードからデータを読取り、読取ったデータ中から自動改札機により記録された原券情報を抽出し、抽出された原券情報の中の入場駅データ及び料金データに基づいて、入場駅から出場駅までの通算乗車料金から原券の料金を減算して、カード金額から減額すべき金額を算出して減額処理を行う減額処理手段及び減額処理が正常に終了したときに出場を許可する許可手段を有する出場駅に設けられた自動改札機とから構成した。【選択図】図２
2008123540.tif 000002
【特許請求の範囲】
【請求項１】
入場駅から乗車券で入場し、乗継駅でカードを用いて乗り継ぎ、そのカードで出場駅から出場する場合の乗継システムにおいて、
投入された前記乗車券に記録されている少なくとも入場駅データと原券の料金データを含む原券情報を読取る読取手段と、読取られた原券情報を投入された前記カードに記録する記録手段と、その原券情報が記録された前記カードを返却するとともに、出場を許可する制御手段とを有する前記乗継駅に設けられた２ラッチ又は１ラッチの自動改札機と、
投入されたカードに記録されているデータを読取る読取手段と、読取られたデータ中から前記自動改札機により記録された原券情報を抽出する抽出手段と、抽出された原券情報の中の入場駅データ及び原券の料金データに基づいて、入場駅から出場駅までの通算乗車料金から原券の料金を減算して、及び前記カードから乗継駅での引き去り額を読出した場合はその引き去り額をも減算して、前記カードに記録されている金額から減額すべき金額を算出して減額処理を行う減額処理手段と、その減額処理が正常に終了したときに出場を許可する許可手段とを有する前記出場駅に設けられた自動改札機とからなることを特徴とする乗継システム。
【発明の詳細な説明】
【技術分野】
【０００１】
本発明は、入場駅から乗車券で入場し、乗継駅でカードを用いて乗り継ぎ、そのカードで出場駅から出場する場合の乗継システムに関する。本明細書において、カードとは、ストアードフェアカード（ＳＦカード）等のカードをいう。また、原券又は精算原券とは、入場駅で発行される乗車券をいう。
【背景技術】
【０００２】
従来、２ラッチ駅に設けられている乗継精算機では、カードによる乗継はできなかった。図３の路線図を用いてさらに説明すると、同図（ａ）は、同一社線（Ａ社線）のａ路線とｂ路線とが途中の丙駅で２ラッチの乗継駅となっている場合であり、同図（ｂ）は、途中の乙駅でＡ社線とＢ社線とがノーラッチで連絡し、さらに丙駅で再びＢ社線からＡ社線へ２ラッチで乗継可能となっている場合である。そして、ここでは、Ａ社線のａ路線の甲駅が入場駅で、Ａ社線のｂ路線の丁駅が出場駅として示されている。同図（ｂ′）は、（ｂ）において丙駅が中間ラッチ（いわゆる１ラッチ）で結ばれている場合である。
【０００３】
図３中、Ｇは、各駅に設けられた自動改札機を示し、１は乗継駅の出場側（図３（ａ）においては丙駅のａ路線側、同図（ｂ）においては丙駅のＢ社線側）に設けられている乗継精算機を示している。なお、丙駅には、ｂ路線からａ路線に乗り継ぐ利用者のための乗継精算機も設けられているが、ここでは省略されている。
【０００４】
今、上記図３（ａ）に示される路線図において、甲駅から乙駅まで乗車可能な乗車券（精算原券）とＡ社線で使用可能なカードを所持している利用者（旅客）が甲駅（入場駅）から入場し、丁駅（出場駅）まで乗車しようとしているものとする。その利用者が丙駅（乗継駅）において、乗継精算機１に乙駅までの乗車券とカードとを挿入すると、カードからは乗継精算料金が減額処理されて返却されるとともに、その乗継精算機からは丁駅まで乗車可能な乗継精算券が発行される。したがって、利用者は返却されたカードではなく、発行された乗継精算券を用いてｂ路線に乗車することができる。
【０００５】
図３（ｂ），（ｂ′）の路線図において、甲駅から乙駅まで有効な乗車券（精算原券）とＡ社線及びＢ社線で共通して使用できるカード（共通カード）を所持している利用者が甲駅から丁駅まで乗車する場合も、丙駅に設けられている乗継精算機１による処理は、上述の場合と同様である。
【０００６】
また、丙駅に設けられている自動改札機Ｇが乗車券（精算原券）とカードとを処理できる複数枚処理型の場合、自動改札機に投入されたカードからは精算料金が減額処理されて返却される。
【特許文献１】特になし
【発明の開示】
【発明が解決しようとする課題】
【０００７】
しかしながら、上記従来の乗継システムにおいては、乗継精算機では、カードは精算料金を支払う金額券として機能するのみで、乗継乗車は発行された乗継精算券で行われなければならないという不便があった。また、２ラッチ駅の出場側の自動改札機が複数枚処理型の場合、甲駅〜乙駅間の原券情報が失われるため、丁駅での出場の際、甲駅〜丁駅間の通算運賃が計算できず、乙駅又は丙駅を始点とする乗車料金となってしまうという不都合があった。さらに、精算原券が小児券（小供券）で乗継乗車する際には、カードを用いて小児券を購入しなければならないという不便があった。このようなことは、乗継駅が２ラッチでなく１ラッチの場合も同様である。
【０００８】
そこで、本発明は、上記欠点を解決するためになされたものであって、その目的は、入場駅から乗車券で入場し、乗継駅でカードを用いて乗り継ぎ、そのカードで出場駅から出場する場合、入場駅から出場駅までの通算料金に基づく精算をすることができ、カードによるトリップ継続が行えるようにした乗継システムを提供することにある。
【課題を解決するための手段】
【０００９】
本発明は、上記目的を達成するために、入場駅から乗車券で入場し、乗継駅でカードを用いて乗り継ぎ、そのカードで出場駅から出場する場合の乗継システムにおいて、
（ａ）投入された前記乗車券に記録されている少なくとも入場駅データと原券の料金データを含む原券情報を読取る読取手段と、読取られた原券情報を投入された前記カードに記録する記録手段と、その原券情報が記録された前記カードを返却するとともに、出場を許可する制御手段とを有する前記乗継駅に設けられた２ラッチ又は１ラッチの自動改札機と、（ｂ）投入されたカードに記録されているデータを読取る読取手段と、読取られたデータ中から前記自動改札機により記録された原券情報を抽出する抽出手段と、抽出された原券情報の中の入場駅データ及び原券の料金データに基づいて、入場駅から出場駅までの通算乗車料金から原券の料金を減算して、及び前記カードから乗継駅での引き去り額を読出した場合はその引き去り額をも減算して、前記カードに記録されている金額から減額すべき金額を算出して減額処理を行う減額処理手段と、その減額処理が正常に終了したときに出場を許可する許可手段とを有する前記出場駅に設けられた自動改札機とからなることを特徴としている。
【発明の効果】
【００１０】
本発明によれば、乗継駅に設けられた２ラッチ又は１ラッチの自動改札機では、乗車券に記録されている少なくとも入場駅データと原券の料金データを含む原券情報がカードに引き継がれ、出場駅に設けられた自動改札機では、カードに引き継がれた原券情報の中の入場駅データ及び原券の料金データに基づいて入場駅から出場駅までの通算乗車料金を算出するとともに、その通算乗車料金に対する精算料金を算出して減額処理を行うので、入場駅から出場駅までの通算料金に基づく精算をすることができる。
【発明を実施するための最良の形態】
【００１１】
以下、本発明の実施の形態を図面に基づいて説明する。図１は、本発明の乗継システムで用いられる乗継精算機１の概略構成を示すブロック図である。
【００１２】
乗継精算機１は、ＲＯＭ２に格納されているシステムプログラム及びＲＡＭ３に格納されているワーキングデータを用いて精算の演算処理を行うＣＰＵ（中央処理部）４を有している。ＣＰＵ４は、Ｉ／Ｏユニット５を介してタッチパネル等からなる接客ユニット６と、精算料金として投入された金銭を検銭し、必要に応じて釣銭を排出する金銭処理ユニット７と、挿入された精算原券に記録されているデータを読取り、また、挿入されたカードＣに記録されているデータを読取るとともに、所定のデータを記録することのできるリードライトユニット８とが接続されている。なお、Ｉ／Ｏユニット５には、係員処理ユニット等も接続されているが、ここでは省略されている。
【００１３】
図１中、Ｃは、リードライトユニット８で処理されるカードであって、そのメモリＭの金額データ記録部Ｍ1 には、周知のカードと同様に金額データが記録されている。そして、このカードＣのメモリＭには、原券データ記録部Ｍ2 及び引去り額記録部Ｍ3 が設けられていて、精算原券の切符の発駅や原券の料金や有効区数等の原券情報が記録（書込み）できるように構成されている。なお、カードＣのメモリＭには、カードＩＤ等の他のデータも記録されているが、ここでは省略されている。
【００１４】
以下、図２（ａ）のフローチャートを用いて、乗継精算機１が図３（ａ）の丙駅の出場側に設けられているときの制御動作について説明する。今、利用者は、甲駅からその甲駅から乙駅まで有効な乗車券（図示せず）とＡ社線全線で使用可能なカードＣ（図１参照）を所持して入場し、丁駅で出場しようとしているものとする。
【００１５】
丙駅で下車した利用者が乗車券とカードＣをその乗継精算機１に挿入すると（ステップ１００肯定。以下、ステップを「Ｓ」とする。）、読取手段に相当するリードライトユニット８により乗車券及びカードＣに記録されているデータが読取られる（Ｓ１０２）。
【００１６】
読取られたデータを基にＣＰＵ４の演算処理の結果、カードＣが有効券と判定されれば（Ｓ１０４肯定）、すなわち、カードＣの残額が甲駅から丙駅までの乗車料金に対して原券料金が不足する金額以上であれば、そのカードＣの残額から不足金額を引去るとともに、その引去り額がカードＣの引去り額記録部Ｍ3 に記録され、また、原券データ記憶部Ｍ2 に乗車券の原券情報（切符の発駅、原券の料金あるいは有効区数等の情報及び小児券等の券種情報）がコピーする形で記録される。そして、その記録後にカードＣは利用者に返却される（Ｓ１０６）。なお、乗車券が定期券のように利用者に返却する必要かあるときは、その乗車券も返却される。
【００１７】
カードＣの残額が不足金額を満たしていないときは（Ｓ１０４否定）、金銭が追加投入されたときに、同様の処理を行うこととなる（Ｓ１０５）。
【００１８】
乗車券（精算原券）が小児券の場合は、不足額も小児料金で算出され、原券情報としてその小児券の情報もカードＣに記録される。すなわち、カードＣの原券データ記録部Ｍ2 の小児ビットが「１」とされる。
【００１９】
利用者は、返却されたカードＣを用いて丙駅（中継駅）の出場側自動改札機Ｇを介して出場し、次いで、丙駅の入場側自動改札機Ｇを介して入場し、丁駅（出場駅）まで乗車することができる。丁駅の出場側自動改札機では、カードＣに記録された原券情報（発駅データ、原券料金データ）により、甲駅（入場駅）から丁駅（出場駅）までの通算料金を計算して、必要な減額処理を行うことができる。すなわち、原券情報を利用してカードＣから減額すべき料金の計算式は、
（入場駅から出場駅までの通算料金）−（原券の料金）−（中継駅での引去り額）＝（減額すべき料金）
となる。丁駅でカードＣの残額が上記減額すべき料金に満たない場合は、丁駅の精算機で金銭により精算することができる。
【００２０】
本発明の他の実施の形態として、丙駅の出場側自動改札機Ｇが複数枚処理型の場合は、上述の原券情報のカードＣへのコピーを、その自動改札機Ｇにおいて行うことができる。すなわち、自動改札機Ｇに乗車券とカードＣとが投入されると、自動改札機Ｇに設けられているリードライトユニット（図示せず）を介して乗車券から読取られた原券情報がカードＣへコピーする形で記録される。そして、その記録後、カードＣは返却されるとともに、ドアが開いて（自動改札機Ｇがノーマルオープン型のときはそのまま）出場が許可される。したがって、利用者は、返却されたカードＣを用いて丙駅から入場して丁駅まで乗車することができる。
【００２１】
図２（ｂ）のフローチャートは、丁駅に設けられた自動改札機Ｇに原券情報の記録されたカードＣが投入されたときの制御動作を示している。すなわち、カードＣが自動改札機Ｇに投入されると（Ｓ２００肯定）、カードＣに記録されているデータが自動改札機Ｇの読取手段に相当するリードライトユニット（図示せず）により読取られる（Ｓ２０２）。
【００２２】
自動改札機Ｇを統括的に制御するＣＰＵからなる制御器（図示せず）では、カードＣから読取られたデータに含まれる原券情報及び丙駅での引去り額に基づいて、上記と同一の計算式により、甲駅から丁駅までの通算乗車料金に対する精算料金を算出するとともに、その算出された精算料金をカードＣから減額する処理をし、その後、カードＣが利用者へ返却されるとともに、出場が許可される（Ｓ２０４、Ｓ２０６、Ｓ２０８）。すなわち、カードＣが丁駅の出場側自動改札機Ｇに投入されたときは、乙駅からカードＣを用いて乗り継いだ形で精算されて出場することができる。
【００２３】
なお、上述の説明は、図３（ａ）の路線図を用いた例であるが、図３（ｂ）の路線図の場合も同様であり、この場合は、カードＣはＡ社線及びＢ社線で共に使用できる、いわゆる共通カードとされる。また、図３（ｂ′）のように、丙駅が２ラッチ連絡駅でなく、１ラッチ（中間ラッチ）連絡駅であっても同様である。この場合は、丙駅の出場側と入場側の自動改札機の処理が中間ラッチの自動改札機により、一度で行われる。
【図面の簡単な説明】
【００２４】
【図１】本発明の乗継システムで用いられる乗継精算機の概略構成を示すブロック図である。
【図２】制御動作を示すフローチャートである。
【図３】路線図の一例である。
【符号の説明】
【００２５】
１  乗継精算機
Ｇ  自動改札機
Ｃ  カード
【図１】
2008123540.tif 000003
【図２】
2008123540.tif 000004
【図３】
2008123540.tif 000005